(57)【要約】【課題】  緊急時、非常時において、鍵を用いないで室内に入る必要がある場合に従来に比べて短い時間で、かつ少ない労力でドアを強制的に開けることが可能な旗蝶番の構造を提供することである。【解決手段】  旗蝶番は、軸支筒１２が一方側に形成され、ドア１００に取り付けるための複数個の取り付けビス用穴１１ａが他方側に配置されて形成された蝶番プレート１１と、軸支筒１２に挿入される軸支ピン２２ａが一方側に形成され、ドア枠２００に取り付けるための取り付けビス用穴２１ａが他方側に配置されて形成された蝶番プレート２１とを備える。蝶番プレート１１の板厚方向に窪んだ複数個の凹み穴１１ｂが蝶番プレート１１の取り付けビス用穴１１ａと軸支筒１２との間で軸支筒１２の近傍にその軸線方向に沿って間隔をあけて配置されて形成されている。【選択図】        図４
0003102252.tif 000002
【実用新案登録請求の範囲】
【請求項１】
軸支筒が一方側に形成され、かつ、扉に取り付けるための複数個の取り付け穴が他方側に配置されて形成された第１の蝶番プレートと、前記第１の蝶番プレートの軸支筒に挿入される軸支ピンが一方側に形成され、かつ、扉枠に取り付けるための取り付け穴が他方側に配置されて形成された第２の蝶番プレートとを備えた旗蝶番において、
前記第１の蝶番プレートの板厚方向に窪んだ複数個の凹部が、前記第１の蝶番プレートの取り付け穴と軸支筒との間で前記軸支筒の近傍にその軸線方向に沿って間隔をあけて配置されて形成されていることを特徴とする、旗蝶番。
【請求項２】
前記複数個の凹部の深さは、前記第１の蝶番プレートの板厚の１／２以上であることを特徴とする、請求項１に記載の旗蝶番。
【請求項３】
前記複数個の凹部は、ほぼ円形の底付き穴である、請求項２に記載の旗蝶番。
【考案の詳細な説明】
【技術分野】
【０００１】
この考案は、旗蝶番に関し、特定的にはドア等の開閉機構に用いられる旗蝶番であって非常時にドアを強制的に開けるために対処することができるように改善された旗蝶番に関するものである。
【背景技術】
【０００２】
図１は、この考案の旗蝶番が適用される一般的な外開き式の扉（ドア）の概略的な構成を示す正面図である。
【０００３】
図１に示すように、ドア１００の右側にはドアノブ１１０と鍵穴１２０が設けられている。ドア１００がドア枠２００に対して開閉できるようにドア１００の左側には二組の旗蝶番が取り付けられている。ドア１００の左側上部とドア枠２００の左側上部との間には、旗蝶番部分１０ａと旗蝶番部分２０ａとからなる一組の旗蝶番が取り付けられている。ドア１００の左側下部とドア枠２００の左側下部との間には、旗蝶番部分１０ｂと旗蝶番部分２０ｂとからなる一組の旗蝶番が取り付けられている。
【０００４】
このように構成されたドアにおいては、近年、ピッキング等の悪質な空き巣、窃盗事件に対抗し、防犯機能を高めるために、たとえば、赤外線を用いた小型電動ロック等の開錠困難な錠前が用いられるようになってきている。
【０００５】
しかしながら、防犯対策としては開錠困難な錠前を用いるという対策を採るとしても、その一方で緊急時、非常時においては、鍵を用いないで室内に入ることがますます困難になってきているという状況がある。たとえば、外出中に鍵を紛失した場合に帰宅して室内に入る必要があるとき、あるいは、鍵をロックした状態のままで一人暮らしの老人等が急病のために室内で倒れている場合に第３者が室内に入る必要があるときに即座にドアを開けることが困難になってきているという状況がある。また、鍵穴なしの電子錠前等が故障した場合に室内に入る必要があるときにも即座にドアを開けることが困難になってきているという状況がある。
【０００６】
図２は、図１のＩＩ部を拡大して示す部分拡大正面図である。
【０００７】
図２に示すように、下方に設けられた旗蝶番部分２０ａの軸支筒２２から延びた軸支ピン２２ａが、上方に設けられた旗蝶番部分１０ａの軸支筒１２ａに挿入されることによって、旗蝶番部分１０ａと旗蝶番部分２０ａとが軸支されている。旗蝶番部分１０ａはドア１００に取り付けられ、旗蝶番部分２０ａはドア枠２００に取り付けられている。
【０００８】
図３は、図２のＩＩＩの方向からドア１００の側部に向かってみた部分拡大側面図である。
【０００９】
図３に示すように、旗蝶番部分１０ａの蝶番プレート１１は、ビス３０によってドア１００の側面に取り付けられている。旗蝶番部分２０ａの蝶番プレート２１は、ビスによってドア枠２００の側面に取り付けられている。
【００１０】
このように旗蝶番が構成されているので、鍵がロックされた状態でドア１００を強制的に取り外す場合、ドア１００を旗蝶番部分１０ａから分離することができるようにしなければならない。旗蝶番部分１０ａからドア１００を分離するために、まず、切断工具等を用いて図３に示すＰの部分を切断する。そして、軸支筒１２から分離され、蝶番プレート１１のみが付いたままのドア１００の上部を引っ張り出し、ドア１００を上方に持ち上げる。その後、図１に示す下方の旗蝶番部分１０ｂを旗蝶番部分２０ｂから引き抜くことによって、ドア１００を旗蝶番部分２０ｂから分離する。
【００１１】
このようにすれば、旗蝶番部分１０ａのみに損傷が生じるが、他の部分には損傷を生じさせることなく、ドア１００を取り外すことができ、緊急時、非常時において、鍵を用いないで強制的に室内に入ることができる。
【考案の開示】
【考案が解決しようとする課題】
【００１２】
しかしながら、旗蝶番部分１０ａからドア１００を分離するために切断工具等を用いて図３に示すＰの部分を切断するのに多大な労苦と相当な時間を要するという問題があった。
【００１３】
そこで、この考案の目的は、緊急時、非常時において、鍵を用いないで室内に入る必要がある場合に従来に比べて短い時間で、かつ少ない労力でドアを強制的に開けることが可能な旗蝶番の構造を提供することである。
【課題を解決するための手段】
【００１４】
この考案に従った旗蝶番は、軸支筒が一方側に形成され、かつ、扉に取り付けるための複数個の取り付け穴が他方側に配置されて形成された第１の蝶番プレートと、この第１の蝶番プレートの軸支筒に挿入される軸支ピンが一方側に形成され、かつ、扉枠に取り付けるための取り付け穴が他方側に配置されて形成された第２の蝶番プレートとを備える。このように構成された旗蝶番において、第１の蝶番プレートの板厚方向に窪んだ複数個の凹部が、第１の蝶番プレートの取り付け穴と軸支筒との間で軸支筒の近傍にその軸線方向に沿って間隔をあけて配置されて形成されていることを特徴とする。
【００１５】
この考案の旗蝶番においては、第１の蝶番プレートの取り付け穴と軸支筒との間で軸支筒の近傍でその軸線方向に沿って切断する場合、第１の蝶番プレートの板厚方向に窪んだ複数個の凹部がその切断線に沿って間隔をあけて配置されて形成されている。第１の蝶番プレートの切断線に沿って複数個の凹部が存在しているために、切断線に沿った板厚方向の断面積が少なくなっている。したがって、切断工具等を用いてより短い時間で第１の蝶番プレートと軸支筒との間を分離することができる。これにより、ドアに第１の蝶番プレートが取り付けられている状態でドアを強制的に取り外す場合、従来に比べて短い時間で、かつ少ない労力でドアを旗蝶番部分から分離することができる。
【００１６】
なお、複数個の凹部は第１の蝶番プレートの軸支筒の近傍にその軸線方向に沿って間隔をあけて配置されているので、凹部の存在によって強度を著しく低下させることなく、蝶番プレートに必要な強度を保持することができる。
【００１７】
この考案の旗蝶番においては、複数個の凹部の深さは、第１の蝶番プレートの板厚の１／２以上であるのが好ましい。この場合、上記の切断線に沿った板厚方向の断面積をより少なくすることができる。
【００１８】
また、この考案の旗蝶番においては、複数個の凹部は、ほぼ円形の底付き穴であるのが好ましい。
【考案の効果】
【００１９】
以上のように、この考案の旗蝶番を用いることにより、ドアに第１の蝶番プレートが取り付けられている状態でドアを強制的に取り外す場合、切断工具等を用いてより短い時間で、かつ少ない労力でドアを旗蝶番部分から分離することができるので、緊急時、非常時において、鍵を用いないで室内に入る必要がある場合に従来に比べて短い時間で、かつ少ない労力でドアを強制的に開けることが可能となる。
【考案を実施するための最良の形態】
【００２０】
この考案の一つの実施の形態を図に基づいて説明する。
【００２１】
図４は、この考案の一つの実施の形態として、図１と図２に示されるドア（扉）の開閉機構に適用される旗蝶番の構造を示す上面図（Ａ）と正面図（Ｂ）である。図５は、この考案の一つの実施の形態の旗蝶番における第１の蝶番部分を示す正面図（Ａ）、正面図（Ａ）のＢ−Ｂ線に沿った断面図（Ｂ）および第２の蝶番部分を示す正面図（Ｃ）である。
【００２２】
図４と図５に示すように、旗蝶番は旗蝶番部分１０と旗蝶番部分２０とから構成されている。旗蝶番部分１０においては、第１の蝶番プレートとして蝶番プレート１１の一方側に軸支筒１２が形成され、他方側に複数個の取り付けビス用穴１１ａ、この実施の形態では５個の取り付けビス用穴１１ａが配置されて形成されている。取り付けビス用穴１１ａはドア１００の側面（図３）に蝶番プレート１１を取り付けるために用いられる。軸支筒１２の下部には軸支用凹部１２ａが形成されている。図５（Ｂ）に示すように軸支筒１２は、蝶番プレート１１の一方端部が巻かれて、その端縁が固着されることによって筒状の形態が形成されている。旗蝶番部分２０においては、第２の蝶番プレートとして蝶番プレート２１の一方側に軸支筒２２が形成され、他方側に複数個の取り付けビス用穴２１ａ、この実施の形態では５個の取り付けビス用穴２１ａが配置されて形成されている。取り付けビス用穴２１ａはドア枠２００の側面（図３）に蝶番プレート２１を取り付けるために用いられる。軸支筒２２の上部には軸支ピン２２ａが軸支筒１２に向かって延びるように形成されており、軸支用凹部１２ａに挿入されている。このようにして、軸支用凹部１２ａの内周面に沿って軸支ピン２２ａが摺動することによって、蝶番プレート１１と蝶番プレート２１は軸支ピン２２ａの周りを回動することができるように旗蝶番部分１０と旗蝶番部分２０とは軸支されている。
【００２３】
この考案に従った旗蝶番の一つの実施の形態では、複数個の凹部としてほぼ円形の底付き凹み穴１１ｂが、蝶番プレート１１の取り付けビス用穴１１ａと軸支筒１２との間で軸支筒１２の近傍にその軸線方向に沿って間隔をあけて配置されて形成されている。凹み穴１１ｂは、図５の（Ｂ）に示すように底が付いた穴であり、その穴の深さは蝶番プレート１１の板厚の１／２以上である。
【００２４】
このように構成された本考案の旗蝶番が図１〜図３に示すようにドア１００とドア枠２００との間に取り付けられる。この場合、図３において底付き凹み穴１１ｂの開口がドア１００側に向くように、すなわち、ドア１００の側面に向くように蝶番プレート１１をドア１００の側面にビス３０によって取り付ける。このようにして旗蝶番がドア１００とドア枠２００とに固着されている。ドア１００は、旗蝶番の開閉機構によって、ドア枠２００に対して開閉可能に構成されている。
【００２５】
緊急時、非常時において、たとえば、外出中に鍵を紛失した場合、鍵をロックした状態のままで一人暮らしの老人等が急病のために室内で倒れている場合、あるいは、鍵穴なしの電子錠前等が故障した場合に室内に入るために即座にドアを開けることが必要になった状況を想定する。この状況では鍵がロックされているので、ドア１００を強制的に取り外すためにドア１００を旗蝶番部分１０ａから分離しなければならない。旗蝶番部分１０ａからドア１００を分離するために、従来と同様にして、まず、切断工具等を用いて図３に示すＰの部分を切断する。本考案の旗蝶番においては、図３に示すＰの部分には底付き凹み穴１１ｂの開口がドア１００側に向くように配置されている。
【００２６】
図６は、図２のＩＩＩの方向に沿った旗蝶番部分１０の概略的な断面図である。図６に示すように、蝶番プレート１１のＰの部分、すなわち、凹み穴１１ｂの開口と反対側に位置する蝶番プレート１１の表面に切断砥石等の切断工具３００の外周刃を当接させて切削する。このとき、凹み穴１１ｂが蝶番プレート１１の板厚方向に窪んでいるので、蝶番プレート１１を切断するための切削量が板厚方向に凹み穴１１ｂの深さ分だけ少なくなっている。また、蝶番プレート１１の切断線に沿って複数個の凹み穴１１ｂが並んで存在しているために、切断線に沿った板厚方向の断面積が少なくなっている。図４（Ｂ）または図５（Ａ）に示すように複数個の凹み穴１１ｂが間隔をあけて配置されているので、軸支筒１２の軸線方向に切断工具３００の外周刃を移動させていくと、複数個の凹み穴１１ｂがつながるように蝶番プレート１１の切断または切削を進行させることができる。したがって、切断工具等を用いてより短い時間で蝶番プレート１１と軸支筒１２との間を分離することができる。これにより、ドア１００に蝶番プレート１１が取り付けられている状態でドア１００を強制的に取り外す場合、従来に比べて短い時間で、かつ少ない労力でドア１００を旗蝶番部分１０ａから分離することができる。
【００２７】
そして、軸支筒１２から分離され、蝶番プレート１１のみが付いたままのドア１００の上部を引っ張り出し、ドア１００を上方に持ち上げる。その後、図１に示す下方の旗蝶番部分１０ｂを旗蝶番部分２０ｂから引き抜くことによって、ドア１００を旗蝶番部分２０ｂから分離する。このようにして、旗蝶番部分１０ａのみに損傷が生じるが、他の部分には損傷を生じさせることなく、従来に比べて短い時間で、かつ少ない労力でドア１００を取り外すことができ、緊急時、非常時において、鍵を用いないで強制的に室内に入ることができる。
【００２８】
図７は、図１と図２に示されるドア（扉）の開閉機構に適用される従来の旗蝶番の構造を示す正面図である。図８は、図２のＩＩＩの方向に沿った従来の旗蝶番部分１０の概略的な断面図である。図８に示すように、蝶番プレート１１のＰの部分の表面に切断砥石等の切断工具３００の外周刃を当接させて切削する。このとき、蝶番プレート１１を切断するための切削量が板厚全体である。すなわち、切断線に沿った板厚方向の断面積は蝶番プレート１１の板厚全体である。したがって、切断工具等を用いて蝶番プレート１１と軸支筒１２との間を分離するのに長時間がかかるとともに、多大な労力も必要とする。
【００２９】
上記の実施の形態では、５個の凹み穴１１ｂを蝶番プレート１１に配置して形成しているが、凹み穴１１ｂの個数は限定されない。また、上記の実施の形態では、ほぼ円形の凹み穴１１ｂを形成しているが、凹み穴１１ｂの形状は楕円形、多角形等でもよく、限定されない。さらに、凹み穴１１ｂの深さは、蝶番プレート１１の強度が著しく低下しない限り、できるだけ深い方が好ましく、蝶番プレート１１の板厚の２／３以上でもよい。
【００３０】
以上に開示された実施の形態はすべての点で例示であって制限的なものではないと考慮されるべきである。本考案の範囲は、以上の実施の形態ではなく、実用新案登録請求の範囲によって示され、実用新案登録請求の範囲と均等の意味および範囲内でのすべての修正や変形を含むものである。
【図面の簡単な説明】
【００３１】
【図１】この考案の旗蝶番が適用される一般的な外開き式の扉（ドア）の概略的な構成を示す正面図である。
【図２】図１のＩＩ部を拡大して示す部分拡大正面図である。
【図３】図２のＩＩＩの方向からドアの側部に向かってみた部分拡大側面図である。
【図４】この考案の一つの実施の形態として、図１と図２に示されるドアの開閉機構に適用される旗蝶番の構造を示す上面図（Ａ）と正面図（Ｂ）である。
【図５】この考案の一つの実施の形態の旗蝶番における第１の蝶番部分を示す正面図（Ａ）、正面図（Ａ）のＢ−Ｂ線に沿った断面図（Ｂ）および第２の蝶番部分を示す正面図（Ｃ）である。
【図６】図２のＩＩＩの方向に沿った旗蝶番部分１０の概略的な断面図である。
【図７】図１と図２に示されるドアの開閉機構に適用される従来の旗蝶番の構造を示す正面図である。
【図８】図２のＩＩＩの方向に沿った従来の旗蝶番部分１０の概略的な断面図である。
【符号の説明】
【００３２】
１０，１０ａ，１０ｂ，２０，２０ａ，２０ｂ：旗蝶番部分、１１，２１：蝶番プレート、１２，２２：軸支筒、１１ａ，２１ａ：取り付けビス用穴、１１ｂ：凹み穴、１２ａ：軸支用凹部、２２ａ：軸支ピン、３０：ビス、１００：ドア、２００：ドア枠、３００：切断工具。
【図１】
0003102252.tif 000003
【図２】
0003102252.tif 000004
【図３】
0003102252.tif 000005
【図４】
0003102252.tif 000006
【図５】
0003102252.tif 000007
【図６】
0003102252.tif 000008
【図７】
0003102252.tif 000009
【図８】
0003102252.tif 000010